【事件の表示】
　平成１１年特許願第　６５０５３号「写真フィルムカメラ」拒絶査定に対する審判事件［平成１１年１１月１６日出願公開、特開平１１−３１６４１０］について、次のとおり審決する。
【結　論】
　本件審判の請求は、成り立たない。
【理　由】
１．手続の経緯
　本願は、出願日が平成４年３月１７日である特願平４−６０６８４号の一部を、平成１１年３月１１日に新たな特許出願としたもの（特願平１１−６５０５３号）であって、平成１４年６月２７日付で拒絶査定がなされ、これに対し同年７月３１日に拒絶査定に対する審判請求がなされ、これに対し平成１４年１１月１９日付けで当審より特許法第２９条第２項の規定により特許を受けることができない旨の拒絶理由が通知され、平成１５年１月２７日に意見書とともに手続補正がなされた。
　
２．本願発明
　本願の請求項１に係る発明（以下、「本願発明」という。）は、特許請求の範囲の請求項１に記載された次のとおりのものと認める。
「カートリッジを収納するカートリッジ収納部と、前記カートリッジより引き出した写真フィルムを収納するフィルム収納部と、前記フィルム収納部に配され、スプロケット駆動用孔を無くした写真フィルムを巻回するスプロール及びガイドローラと、前記フィルム収納部及び前記カートリッジ収納部間に配され、前記写真フィルムの有効撮影エリア上に露光を行うための開口部と、前記開口部に沿って配されたガイド手段と、前記写真フィルムの有効撮影エリアと前記写真フィルムの縁部との間の非有効撮影エリアで、前記縁部から２．５ｍｍ幅の中心位置に配された透孔を検出する前記透孔より大きいサイズの検出器が配された圧板と、前記検出器からの検出信号により前記写真フィルムの移動を制御するマイクロコンピュータからなる制御手段と、有効撮影エリア内の印画紙への焼付けすべきエリアに対応した複数の縦横比の内の一つを示すサイズ信号を記録する記録手段とを有し、前記カートリッジ収納部に前記カートリッジを装填時、前記制御手段が、前記スプロール及びガイドローラにより、先端部がほぼ直線状をなし、焼付け時にスプライシングできる形状をなした前記写真フィルムを巻回して移動し、前記検出器が前記ガイド手段と前記圧板との間に配された前記縁部から２．５ｍｍ幅の中心位置に配された前記透孔を自動的に検出するようにすると共に前記記録手段が前記ガイド手段と前記圧板との間に配された非有効撮影エリアに前記サイズ信号を記録するように前記写真フィルムの一端縁部側に配された一対の前記ガイド手段間に配されたことを特徴とする写真フィルムカメラ。」
　
３．引用例
３−１．引用例２
　これに対して、当審の拒絶の理由に引用された、特開平２−６４６２２号公報（以下、引用例２という。）には、以下の技術事項が記載されている。
ア．この発明は、フィルムカメラ及びこれに使用するフィルムカートリッジに関する。（公報第２頁左上欄２〜３行）
　
イ．駒（３）のフィルム幅方向における長さは３０mmなので、駒（３）とフィルム（１）の両縁部との間には、それぞれ２．５mmの非撮影エリアを得ることができ、これにより、撮影時におけるフィルム（１）の平面性の確保、フィルム（１）の制御、あるいはデータの読み出しや書き込みなどを実現できる。（公報第３頁左下欄下から７〜下から２行）
　
ウ．第２図はフィルム（１）の送り量の検出用としてフィルム（１）に小孔（４）を設けた場合である。すなわち、フィルム（１）の一方の縁部から１．２５mmの線上、すなわち、その縁部と駒（３）との中央の線上に、例えば、５．２５mmのピッチで径が１mmの小孔（４）を設ける。（公報第３頁右下欄３〜７行）
　
エ．第３図は、この発明によるカメラの一例の一部断面図であり、そのカメラの暗箱部分における底面と平行な面を断面としている。また、第４図は、裏蓋をはずした状態における背面図である。そして、ボデー（１１）の中央が暗箱（１２）とされ、その前方の開口部にレンズ（１３）が設けられている。また、ボデー（１１）の一方の内側部、図では左側がパトローネ収納部（１４）とされてその上部にフィルム供給軸（１５）が設けられ、撮影時には、この供給軸（１５）に勘合するように、上述したフィルム（１）を収納したパトローネ（５）がセットされる。さらに、ボデー（１１）の後方の内側部、図では右側にフィルム巻き上げ軸（１６）を設けられる。この巻き上げ軸（１６）は、図示しないが、モータによりドライブされてフィルム（１）を巻き上げるものであり、この巻き上げ軸（１６）の周面には、例えば第５図に示すように、ネオプレーンのような高摩擦材（１７）がコーティングされているとともに、巻き上げ軸（１６）の周囲には、例えば３個のフィルムガイド（１８Ａ）〜（１８Ｃ）が設けられている。・・・さらに、ガイド（１８Ａ）〜（１８Ｃ）の巻き上げ軸（１６）側の端部には、フィルム押さえローラ（１０Ａ）〜（１０Ｃ）が巻き上げ軸（１６）の中心軸と平行となるように軸支されている。・・・また、暗箱（１２）の後方は、上述のフィルム（１）の駒（３）に対応して例えば３０mm（フィルム幅方向）×４０mm（フィルム長さ方向）の長方形の開口（アパーチャ）（１９）とされている。（公報第３頁右下欄下から７行〜第４頁右上欄下から５行）
　
オ．暗箱（１２）の後方において、開口（１９）のフィルム幅方向における両側には、第６図（これは、第４図のＡ−Ａ線における拡大断面図）にも示すように、開口（１９）に沿って、かつ、少なくとも開口（１９）の範囲にわたって２対のフィルムガイドレール（２１）、（２２）が平行に設けられている。（公報第４頁左下欄３〜９行）
　
カ．このフィルム給送時、フィルム（１）の給送に対応してローラ（１０Ａ）〜（１０Ｃ）及び磁石（３１）が回転し、この磁石（３１）の回転がセンサ（３２）により検出され、この検出出力が第８図に示すようにカウンタ（３３）によりカウントされ、そのカウント出力がシステムコントローラ（３４）に供給される。このシスコン（３４）は、このカメラ全体の動作、例えば絞り値やシャッタ速度を設定するためのものであるが、フィルム（１）の所定の送り量ごとにガイド（１８Ａ）のローラ（１０Ａ）が１回転するので、カウンタ（３３）のカウント出力によりフィルム（１）の送り量が検出され、これが駒（３）の大きさに対応したカウント値になるように、ドライブアンプ（３５）を通じて巻き上げ軸（１６）のドライブモータ（３６）の回転量が制御される。（公報第４頁右下欄下から４行〜第５頁左上欄１２行）
　
キ．第９図及び第１０図は、フィルム（１）の送り量を検出する他の例を示す。すなわち、第９図は、この発明によるカメラにフィルム（１）がセットされているとともに、裏蓋をはずした状態の背面図、第１０図はそのＢ−Ｂ線における拡大断面図である。そして、フィルム（１）として、第２図において説明した小孔（４）を有するフォーマットのフィルム（１）が使用される。また、カメラのボデー（１１）には、例えば開口（１９）のフィルム下流側の位置において、フィルム（１）の両面から小孔（４）を挟むようにフォトインタラプタのＬＥＤ（４１）及びフォトトランジスタ（４２）が設けられる。・・・したがって、フィルム（１）が給送されると、小孔（４）の通過にしたがってＬＥＤ（４１）からトランジスタ（４２）に供給される赤外光がオンオフされるので、トランジスタ（４２）からは小孔（４）の通過を示す検出パルスが得られる。したがって、この検出パルスを、第８図の検出回路のカウンタ（３３）に供給することにより、上述と同様にしてフィルム（１）の送り量を制御できる。（公報第５頁右上欄５行〜左下欄７行）
　
ク．フィルム（１）の縁部と、駒（３）との間の非有効撮影エリアに撮影データなどを写し込む（「申し込む」は、誤記と認める。）ようにしたり、フィルム（１）の規格を示すデータをあらかじめ記録しておくこともできる。・・・センサ（３２）やトランジスタ（４２）を、裏板あるいは圧板（２３）に設けることもできる。（公報第５頁左下欄下から３行〜右下欄５行）
　
　そして、第３図から、このカメラは、図の右側に巻き上げられたフィルムを収納する部分を有し、第２図から第５図、第９図等からフィルムは、スプロケット駆動用の孔を無くしたフィルムであることが理解される。
　
　したがって、引用例２には、上記各記載事項、及び図面から、以下の発明（以下、引用発明、という。）が記載されている。
「パトローネ収納部（１４）と、巻き上げられたフィルムを収納する部分と、巻き上げられたフィルムを収納する部分に配され、スプロケット駆動用の孔を無くしたフィルムを巻き上げる巻き上げ軸（１６）及びフィルム押さえローラ（１０Ａ）〜（１０Ｃ）と、前記パトローネ収納部（１４）及び巻き上げられたフィルムを収納する部分間に配され、開口（１９）と、開口（１９）に沿って設けられたフィルムガイドレール（２１）、（２２）と、駒（３）とフィルム（１）の両縁部との間の非撮影エリアで、フィルム（１）の一方の端部から２．５mm幅の中心位置に配された小孔（４）を検出するトランジスタ（４２）が配された圧板と、前記トランジスタ（４２）からの検出パルスにより、フィルム（１）の送り量を制御するシステムコントローラ（３４）とを有するフィルムカメラ」
　
３−２．引用例３
　また、同じく、当審の拒絶の理由に引用された、特開平１−２６０４２６号公報（以下、引用例３という。）には、以下の技術事項が記載されている。
ケ．マイクロコンピュータ２は、メインスイッチ１１の閉成下でのシャッタボタン１０の押圧に応答して測距／測光部４からの情報に従いシャッタ／焦点調節駆動部３を制御すると共にフィルム給送駆動部５およびストロボ回路６を制御する周知の機能に加えて、電源電池１の装填時に第３図のフローチャートに従って焦点調節機構１４およびシャッタ機構１５の初期位置セットを行なう機能を有している。（公報第３頁左上欄下から４行〜右上欄５行）
　
３−３．引用例４
　また、同じく、当審の拒絶の理由に引用された、特開平１−２８２５３１号公報（以下、引用例４という。）には、以下の技術事項が記載されている。
コ．所望のプリントの縦横比情報設定手段と、前記設定手段にて設定された縦横比情報をフィルム面に記録する記録手段とから構成される事を特徴とするプリントの縦横比情報記録カメラ（公報第１頁左下欄特許請求の範囲）
　
サ．焼付処理の面から見ると同時プリントシステムでは多数のネガフィルムを連結して自動的、連結的にプリント作業が行なわれる（公報第１頁右下欄７〜９行）
　
シ．検知スイッチ２３がオンしている状態でシャッターレリーズを行なった場合には、図示しない回路により発光部材１４が一瞬点灯する。すると、第５図に示す如く、フィルム２４の発光部材１４に対向した部分が露光され、横長プリント情報１４ａがフィルム上に記録される。（公報第３頁左上欄４〜９行）
　
３−４．引用例５
　また、同じく、当審の拒絶の理由に引用された、特開昭６３−８８５４２号公報（以下、引用例５という。）には、以下の技術事項が記載されている。
ス．画像をプリントアウトする際にはプリント紙のサイズを変えねばならず検索・プリント時の能率が悪いという欠点があった。本発明は上記の欠点に鑑みて提案されたもので、フィルムに撮影記録した原稿のサイズを記録することのできる画像記録装置を提供することを目的とする。（公報第１頁右下欄８〜１５行）
　
セ．第３図は上記実施例により原稿画像と検索マークとを写し込んだマイクロフィルムＦの一部の平面図である。図において３１ａ〜３１ｃは原稿画像の撮影像、３２ａ〜３２ｃはその各撮影像３１ａ〜３１ｃに対応してフィルム縁部に写し込んだ検索マークで、原稿サイズの大小に応じてマーク幅（フィルム長手方向の寸法）が異なる。
　　
３−５．引用例７
　また、同じく、当審の拒絶の理由に引用された、特開平２−２１１４４３号公報（以下、引用例７という。）には、以下の技術事項が記載されている。
ソ．先端部がほぼ直線状をなした写真フィルム３（第１図、第２図）
　
４．対比
　本願発明と引用発明とを対比すると、引用発明の「パトローネ収納部（１４）」、「巻き上げられたフィルムを収納する部分」、「スプロケット駆動用の孔を無くしたフィルムを巻き上げる巻き上げ軸（１６）及びフィルム押さえローラ（１０Ａ）〜（１０Ｃ）」、「開口（１９）」、「開口（１９）に沿って設けられたフィルムガイドレール（２１）、（２２）」、「駒（３）とフィルム（１）の両縁部との間の非撮影エリア」、「フィルム（１）の一方の端部から２．５mm幅の中心位置に配された小孔（４）」、「トランジスタ（４２）が配された圧板」、「トランジスタ（４２）からの検出パルスにより、フィルム（１）の送り量を制御するシステムコントローラ（３４）」、及び「フィルムカメラ」は、それぞれ、本願発明の「カートリッジを収納するカートリッジ収納部」、「カートリッジより引き出した写真フィルムを収納するフィルム収納部」、「スプロケット駆動用孔を無くした写真フィルムを巻回するスプロール及びガイドローラ」、「開口部」、「開口部に沿って配されたガイド手段」、「写真フィルムの有効撮影エリアと前記写真フィルムの縁部との間の非有効撮影エリア」、「縁部から２．５ｍｍ幅の中心位置に配された透孔」、「検出器が配された圧板」、「検出器からの検出信号により前記写真フィルムの移動を制御する制御手段」、及び「写真フィルムカメラ」に相当する。
　
　そして、引用発明においても、開口（１９）は、写真フィルムの有効撮影エリア上に露光を行うためのものであることは自明である。
　
　また、上記記載事項イ．、ク．から、非有効撮影エリアに撮影データなどを写し込む記録手段を有していることが明らかである。
　
　また、非有効撮影エリアが、ガイド手段と前記圧板との間に配されていることは、第４，６，９図等から明らかである。
　
　結局、両者は、「カートリッジを収納するカートリッジ収納部と、前記カートリッジより引き出した写真フィルムを収納するフィルム収納部と、前記フィルム収納部に配され、スプロケット駆動用孔を無くした写真フィルムを巻回するスプロール及びガイドローラと、前記フィルム収納部及び前記カートリッジ収納部間に配され、前記写真フィルムの有効撮影エリア上に露光を行うための開口部と、前記開口部に沿って配されたガイド手段と、前記写真フィルムの有効撮影エリアと前記写真フィルムの縁部との間の非有効撮影エリアで、前記縁部から２．５ｍｍ幅の中心位置に配された透孔を検出する検出器が配された圧板と、前記検出器からの検出信号により前記写真フィルムの移動を制御する制御手段と、前記ガイド手段と前記圧板との間に配された非有効撮影エリアに撮影データなどを記録する記録手段とを有していることを特徴とする写真フィルムカメラ。」である点で一致し、以下の各点において相違している。
　
相違点１；
　本願発明では、検出器が、透孔より大きいサイズの検出器であるのに対し、引用発明では、そのような限定がない点。
　
相違点２；
　本願発明では、制御手段が、マイクロコンピュータからなるのに対し、引用発明では、そのような限定がない点。
　
相違点３；
　本願発明では、記録手段が、有効撮影エリア内の印画紙への焼付けすべきエリアに対応した複数の縦横比の内の一つを示すサイズ信号を記録するのに対し、引用発明では、撮影データなどを記録する点。
　
相違点４；
  本願発明では、写真フィルムが、先端部がほぼ直線状をなし、焼付け時にスプライシングできる形状をなしているのに対し、引用発明では、そのような限定がない点。
　
相違点５；
  本願発明では、記録手段が、写真フィルムの一端縁部側に配された一対の前記ガイド手段間に配されているのに対し、引用発明では、そのような限定がない点。
　
５．当審の判断
以下、各相違点について検討する。
相違点１について；
　検出器は、透孔を通過した光を検出するためのものであり、その光を充分に検出できる大きさであればよいわけで、本願発明のようにサイズを限定することは、当業者が必要に応じて決定し得る設計事項である。
　
相違点２について；
　マイクロコンピュータからなる制御手段は、引用例３に記載されており、引用発明の制御手段をそのような構成とすることは、当業者にとって容易なことである。
　
相違点３について；
  焼付けすべきエリアに対応した複数の縦横比の内の一つを示すサイズ信号を記録する点は、引用例４に記載されており、縦横比ではないが、原稿サイズに対応した検索マーク（本願発明の「サイズ信号」に対応する。）を記録することが引用例５に記載されている。したがって、引用発明においても、記録する撮影データなどとして、相違点３の信号を記録することは、当業者にとって容易なことである。
　
相違点４について；
　写真フィルムを、焼付け時にスプライシングすることは、従来周知（例えば、特開昭５７−４４１４９号公報、特開平３−２２８０５０号公報、実願昭６２−８０１８０号（実開昭６３−１８８６４７号公報）のマイクロフィルム参照）であり、フィルム先端部を直線状とすることは、引用例７や他の周知例（例えば、特開平３−２１４１５７号公報、特開平４−７３７４６号公報参照）にあるように周知の技術手段であるので、写真フィルムを相違点４のように限定することは、当業者にとって容易なことである。
　
相違点５について；
　引用例４のものは、記録手段が、一対の前記ガイド手段の内側に配されている。引用例５のものは、フィルム送りの際、原稿の像と重なることがないようにフィルムの幅方向に、原稿像と離して検索マークを設けた点が記載されている。サイズ信号を非有効撮影エリアに記録する場合に、記録手段をどこに配するかは、当業者が必要に応じて決定し得る設計事項である。なお、記録手段をガイド手段間に配することは、特開昭５６−１３２３２１号公報に記載されているように、周知の技術事項でもある。
　
　本願発明の効果も、上記各引用例に記載されたもの、及び従来周知の技術事項から予測し得る程度のものである。
　
６．むすび
　したがって、本願発明は、上記引用例２〜５、７に記載された発明、及び従来周知の技術事項に基づいて、当業者が容易に発明をすることができたものと認められるから、特許法第２９条第２項の規定により特許を受けることができない。
　よって、結論のとおり審決する 。